(57)【特許請求の範囲】
【請求項１】
電子メールの文字を示す文字コードを他の携帯電話機との間で通信可能な通信手段を備えてなる携帯電話機において、
複数のフォントのうちからいずれかのフォントを使用フォントとして設定する制御手段を備え、
前記制御手段は、電子メールの文字を入力したときには、入力した文字をその時点で使用フォントとして設定しているフォントにしたがって前記表示手段に表示させると共に、新たに使用フォントとして設定可能な複数のフォントの一覧および当該入力した文字の当該新たに使用フォントとして設定可能な複数のフォントの各々にしたがった表示形態を前記表示手段に表示させ、文字コードと共に当該使用フォントとして設定したフォントを示すフォントコードを前記通信手段により他の携帯電話機に送信させ、前記通信手段により他の携帯電話機から文字コードおよびフォントコードを受信したときには、受信した文字コードが示す文字を受信したフォントコードが示すフォントにしたがって表示手段に表示させることを特徴とする携帯電話機。
【請求項２】
電子メールの文字を示す文字コードを他の携帯電話機との間で通信可能な通信手段を備えてなる携帯電話機において、
複数のフォントのうちからいずれかのフォントを使用フォントとして設定する制御手段を備え、
前記制御手段は、電子メールの文字を入力したときには、入力した文字をその時点で使用フォントとして設定しているフォントにしたがって前記表示手段に表示させると共に、当該入力した文字の新たに使用フォントとして設定可能な複数のフォントの各々にしたがった表示形態を前記表示手段に表示させ、文字コードと共に当該使用フォントとして設定したフォントを示すフォントコードを前記通信手段により他の携帯電話機に送信させ、前記通信手段により他の携帯電話機から文字コードおよびフォントコードを受信したときには、受信した文字コードが示す文字を受信したフォントコードが示すフォントにしたがって表示手段に表示させることを特徴とする携帯電話機。
【請求項３】
前記制御手段は、電子メールの文字を入力したときには、入力した文字をその時点で使用フォントとして設定しているフォントにしたがって前記表示手段に表示させ、複数のフォントのうちからいずれかの他のフォントを新たに使用フォントとして設定したときには、当該入力した文字を新たに使用フォントとして設定した他のフォントにしたがって前記表示手段に表示させることを特徴とする請求項１または２記載の携帯電話機。
【請求項４】
前記制御手段は、操作手段における操作に応じて、複数のフォントのうちからいずれかのフォントを使用フォントとして設定することを特徴とする請求項１ないし３のいずれかに記載の携帯電話機。
【請求項５】
前記制御手段は、文を単位として複数のフォントのうちからいずれかのフォントを使用フォントとして設定することを特徴とする請求項１ないし４のいずれかに記載の携帯電話機。
【請求項６】
前記制御手段は、文字を単位として複数のフォントのうちからいずれかのフォントを使用フォントとして設定することを特徴とする請求項１ないし４のいずれかに記載の携帯電話機。
【請求項７】
前記制御手段は、文を単位として複数のフォントのうちからいずれかのフォントを使用フォントとして設定する設定方法と、文字を単位として複数のフォントのうちからいずれかのフォントを使用フォントとして設定する設定方法とのうちのいずれかを選択し、選択したいずれかの設定方法にしたがって複数のフォントのうちからいずれかのフォントを使用フォントとして設定することを特徴とする請求項１ないし４のいずれかに記載の携帯電話機。
【発明の詳細な説明】
【０００１】
【発明の属する技術分野】
本発明は、電子メールの文字を示す文字コードを他の携帯電話機との間で通信可能な通信手段を備えてなる携帯電話機に関する。
【０００２】
【発明が解決しようとする課題】
従来より、電子メールを通信することが可能な携帯電話機や簡易型の携帯電話機（ＰＨＳ：Personal Handyphone System）などが広く普及している。
【０００３】
ところで、この種のものにおいて、ＬＣＤに表示される文字のフォント（書体）は固定されているものである。したがって、例えば、ユーザが電子メールを送信するに際して、通信相手となる携帯電話機のＬＣＤに文字を例えば「明朝体」のフォントにしたがって表示させることを要望しても、それに応じることは不可能であり、従来のものは、このような点において、興趣に欠けるものであった。
【０００４】
本発明は、上記した事情に鑑みてなされたものであり、その目的は、電子メールを通信するに際して、興趣の向上を図ることができる携帯電話機を提供することにある。
【０００５】
【課題を解決するための手段】
請求項１記載の携帯電話機によれば、制御手段は、複数のフォントのうちからいずれかのフォントを使用フォントとして設定する。そして、制御手段は、電子メールの文字を入力したときには、入力した文字をその時点で使用フォントとして設定しているフォントにしたがって表示手段に表示させると共に、新たに使用フォントとして設定可能な複数のフォントの一覧および当該入力した文字の当該新たに使用フォントとして設定可能な複数のフォントの各々にしたがった表示形態を表示手段に表示させ、文字コードと共に当該使用フォントとして設定したフォントを示すフォントコードを通信手段により他の携帯電話機に送信させ、通信手段により他の携帯電話機から文字コードおよびフォントコードを受信したときには、受信した文字コードが示す文字を受信したフォントコードが示すフォントにしたがって表示手段に表示させる。
【０００６】
すなわち、このものによれば、一の携帯電話機において、複数のフォントのうちからいずれかのフォントを使用フォントとして設定し、文字コードと共に当該使用フォントとして設定したフォントを示すフォントコードを他の携帯電話機に送信し、他の携帯電話機において、一の携帯電話機から送信された文字コードおよびフォントコードを受信すると、受信した文字コードが示す文字を受信したフォントコードが示すフォントにしたがって表示手段に表示させるように構成した。
【０００７】
したがって、一の携帯電話機を使用するユーザは、複数のフォントのうちから例えば「明朝体」のフォントを使用フォントとして設定することにより、通信相手となる他の携帯電話機の表示手段に文字を「明朝体」のフォントにしたがって表示させることができるなど、興趣の向上を図ることができる。また、電子メールの文字を入力すると、入力した文字をその時点で使用フォントとして設定しているフォントにしたがって表示させることに加えて、新たに使用フォントとして設定可能な複数のフォントの一覧および当該入力した文字の当該新たに使用フォントとして設定可能な複数のフォントの各々にしたがった表示形態をも表示させるように構成したので、一の携帯電話機を使用するユーザは、新たに使用フォントとして設定することが可能なフォントおよび当該フォントにしたがった表示形態を速やかに認識することができる。
【０００８】
請求項２記載の携帯電話機によれば、制御手段は、電子メールの文字を入力したときには、入力した文字をその時点で使用フォントとして設定しているフォントにしたがって表示手段に表示させると共に、当該入力した文字の新たに使用フォントとして設定可能な複数のフォントの各々にしたがった表示形態を表示手段に表示させ、文字コードと共に当該使用フォントとして設定したフォントを示すフォントコードを通信手段により他の携帯電話機に送信させ、通信手段により他の携帯電話機から文字コードおよびフォントコードを受信したときには、受信した文字コードが示す文字を受信したフォントコードが示すフォントにしたがって表示手段に表示させる。
【０００９】
すなわち、このものによれば、電子メールの文字を入力すると、入力した文字をその時点で使用フォントとして設定しているフォントにしたがって表示させることに加えて、新たに使用フォントとして設定可能な複数のフォントの各々にしたがった表示形態をも表示させるように構成したので、一の携帯電話機を使用するユーザは、新たに使用フォントとして設定することが可能なフォントにしたがった表示形態を速やかに認識することができる。
【００１６】
請求項３記載の携帯電話機によれば、制御手段は、電子メールの文字を入力したときには、入力した文字をその時点で使用フォントとして設定しているフォントにしたがって表示手段に表示させ、複数のフォントのうちからいずれかの他のフォントを新たに使用フォントとして設定したときには、当該入力した文字を新たに使用フォントとして設定した他のフォントにしたがって表示手段に表示させる。
【００１７】
すなわち、このものによれば、電子メールの文字を入力すると、入力した文字をその時点で使用フォントとして設定しているフォントにしたがって表示させ、複数のフォントのうちからいずれかの他のフォントを新たに使用フォントとして設定すると、当該入力した文字を新たに使用フォントとして設定した他のフォントにしたがって表示させるように構成したので、一の携帯電話機を使用するユーザは、電子メールの文字を新たに使用フォントとして設定した他のフォントにしたがって速やかに認識することができる。
請求項４記載の携帯電話機によれば、制御手段は、操作手段における操作に応じて、複数のフォントのうちからいずれかのフォントを使用フォントとして設定する。
すなわち、このものによれば、操作手段における操作に応じて、複数のフォントのうちからいずれかのフォントを使用フォントとして設定するように構成したので、一の携帯電話機を使用するユーザは、操作手段において操作を行うことにより、複数のフォントのうちからいずれかのフォントを使用フォントとして設定することができる。
【００１８】
請求項５記載の携帯電話機によれば、制御手段は、文を単位として複数のフォントのうちからいずれかのフォントを使用フォントとして設定する。
【００１９】
すなわち、このものによれば、電子メールの文字を入力すると、文を単位として複数のフォントのうちからいずれかのフォントを使用フォントとして設定するように構成したので、一の携帯電話機を使用するユーザは、入力した文字を文を単位としていずれかのフォントを設定することができる。
【００２０】
請求項６記載の携帯電話機によれば、制御手段は、文字を単位として複数のフォントのうちからいずれかのフォントを使用フォントとして設定する。
【００２１】
すなわち、このものによれば、電子メールの文字を入力すると、文字を単位として複数のフォントのうちからいずれかのフォントを使用フォントとして設定するように構成したので、一の携帯電話機を使用するユーザは、入力した文字を文字を単位としていずれかのフォントを設定することができる。
【００２２】
請求項７記載の携帯電話機によれば、制御手段は、文を単位として複数のフォントのうちからいずれかのフォントを使用フォントとして設定する設定方法と、文字を単位として複数のフォントのうちからいずれかのフォントを使用フォントとして設定する設定方法とのうちのいずれかを選択し、選択したいずれかの設定方法にしたがって複数のフォントのうちからいずれかのフォントを使用フォントとして設定する。
【００２３】
すなわち、このものによれば、電子メールの文字を入力すると、文を単位として複数のフォントのうちからいずれかのフォントを使用フォントとして設定するか或いは文字を単位として複数のフォントのうちからいずれかのフォントを使用フォントとして設定するかを選択するように構成したので、一の携帯電話機を使用するユーザは、入力した文字を文を単位として或いは文字を単位としていずれかのフォントを設定することができる。
【００２４】
【発明の実施の形態】
（第１の実施の形態）
以下、本発明の第１実施例について、図１ないし図９を参照して説明する。◎図２において、携帯電話機１と携帯電話機２とは、通信網３を通じて電子メールを通信することが可能に構成されている。そして、これら携帯電話機１と携帯電話機２とは同じ構成であり、以下、これら携帯電話機１および携帯電話機２の電気的な構成について、図３を参照して説明する。
【００２５】
携帯電話機１（２）において、ＣＰＵ４（５）（本発明でいう制御手段）は、マイクロコンピュータを主体として構成されており、ＣＰＵ４（５）には、無線通信部６（７）（本発明でいう通信手段）、音声入出力部８（９）、通話を開始するための「通話開始」キー、通話を終了するための「通話終了」キー、数字  「０」〜「９」を入力するためのキーなどの複数のキーを配設してなるキー操作部１０（１１）（本発明でいう操作手段）、電話番号やメモリダイヤル情報などを表示するＬＣＤ１２（１３）（本発明でいう表示手段）およびメモリダイヤル情報などを記憶するメモリ１４（１５）が接続されている。そして、上記した音声入出力部８（９）には、送話音声を入力するマイク１６（１７）および受話音声を出力するレシーバ１８（１９）が接続されている。
【００２６】
メモリ１４（１５）は、複数のフォントとして「ゴシック体」のフォント、  「明朝体」のフォントおよび「毛筆体」のフォントの３個のフォントを記憶しており、ＣＰＵ４（５）は、キー操作部１０（１１）におけるキーの操作に応じて、メモリ１４（１５）が記憶している複数のフォントのうちからいずれかのフォントを使用フォントとして設定する。
【００２７】
次に、上記した構成の作用について、図１および図４ないし図９も参照して説明する。尚、ここでは、携帯電話機１から携帯電話機２に電子メールを送信する場合を説明する。
【００２８】
携帯電話機１において、ＣＰＵ４は、フォントの一覧を表示させるキーが操作されたことを検出すると、図５に示すように、フォントの一覧をＬＣＤ１２に表示させる（ステップＳ１）。そして、ＣＰＵ４は、これら複数のフォントのうちからいずれかが選択させて確定されるキーが操作されたことを検出すると、複数のフォントのうちから選択されて確定されたフォントを使用フォントとして設定する（ステップＳ２）。
【００２９】
次いで、ＣＰＵ４は、電子メールの文字を入力するキーが操作されたことを検出すると、入力した文字を認識し（ステップＳ３）、認識した文字を使用フォントとして設定したフォントにしたがってＬＣＤ１２に表示させる（ステップＳ４）。
【００３０】
具体的に説明すると、ＣＰＵ４は、使用フォントとして例えば「明朝体」のフォントを設定しており、入力した文字を例えば「お」として認識すれば、図６に示すように、入力した文字である「お」を「明朝体」のフォントにしたがってＬＣＤ１２に表示させる。
【００３１】
そして、ＣＰＵ４は、上記した処理を繰返すことにより、複数の文字からなる文字列を入力し、入力した各々の文字を使用フォントとして設定したフォントにしたがってＬＣＤ１２に表示させる。そして、ＣＰＵ４は、文字列の入力が完了すると共に、電子メールを送信するキーが操作されたことを検出すると、入力した文字列を構成する各文字の各々を示す文字コードと共に、使用フォントとして設定したフォントを示すフォントコードを通信相手となる携帯電話機２に送信させる（ステップＳ５）。
【００３２】
このようにして、電子メールを送信する携帯電話機１においては、電子メールとして入力した文字を使用フォントとして設定したフォントにしたがってＬＣＤ１２に表示し、また、入力した文字を示す文字コードと共に使用フォントとして設定したフォントを示すフォントコードを通信相手となる携帯電話機２に送信する。
【００３３】
さて、携帯電話機２において、ＣＰＵ５は、以上のようにして携帯電話機１から送信された文字コードおよびフォントコードを受信すると、受信した文字コードおよびフォントコードを解読する（ステップＳ１１）。そして、ＣＰＵ５は、解読した結果に基づいて、受信した文字コードが示す文字を受信したフォントコードが示すフォントにしたがってＬＣＤ１３に表示させる（ステップＳ１２）。
【００３４】
具体的に説明すると、ＣＰＵ５は、受信した文字コードが「お」、「元」、  「気」、「で」、「す」、「か」の各々の文字を示す文字コードであれば、文字列「お元気ですか」を認識し、受信したフォントコードが「明朝体」のフォントコードであれば、図１に示すように、受信した文字からなる文字列である「お元気ですか」を「明朝体」のフォントにしたがってＬＣＤ１３に表示させる。
【００３５】
このようにして、電子メールを受信した携帯電話機２においては、受信した文字コードが示す文字を受信したフォントコードが示すフォントにしたがってＬＣＤ１３に表示する。
【００３６】
ところで、以上は、携帯電話機１において、「ゴシック体」のフォント、「明朝体」のフォントおよび「毛筆体」のフォントの３個のフォントのうちから「明朝体」のフォントを使用フォントとして設定した場合を説明したものであるが、「ゴシック体」のフォントを使用フォントとして設定した場合には、図８（ａ）に示すように、文字を「ゴシック体」のフォントにしたがってＬＣＤ１２に表示すると共に、「ゴシック体」のフォントを示すフォントコードを携帯電話機２に送信することにより、携帯電話機２において、受信した文字コードが示す文字を「ゴシック体」のフォントにしたがってＬＣＤ１３に表示することになる。
【００３７】
また、携帯電話機１において、「毛筆体」のフォントを使用フォントとして設定した場合には、図８（ｂ）に示すように、文字を「毛筆体」のフォントにしたがってＬＣＤ１２に表示すると共に、「毛筆体」のフォントを示すフォントコードを携帯電話機２に送信することにより、携帯電話機２において、受信した文字コードが示す文字を「毛筆体」のフォントにしたがってＬＣＤ１３に表示することになる。
【００３８】
また、電子メールの文字を入力する途中で使用フォントとして設定するフォントを変更することも可能であり、その場合には、図９に示すように、１つの電子メールの中で、文字を例えば「明朝体」のフォントと「ゴシック体」のフォントとを混在して表示することになる。
【００３９】
また、使用フォントを設定しない場合であれば、デフォルトで使用フォントとして設定しているフォントを示すフォントコード或いは前回使用フォントとして設定したフォントを示すフォントコードを送信することにより、文字をデフォルトで使用フォントとして設定しているフォント或いは前回使用フォントとして設定したフォントにしたがって表示することになる。
【００４０】
また、以上は、携帯電話機１から携帯電話機２に電子メールを送信する場合を説明したが、携帯電話機２から携帯電話機１に電子メールを送信する場合であっても、これと同様の処理を実行する。
【００４１】
以上に説明したように第１実施例によれば、携帯電話機１において、「ゴシック体」のフォント、「明朝体」のフォントおよび「毛筆体」のフォントのうちからいずれかのフォントを使用フォントとして設定し、文字コードと共に当該使用フォントとして設定したフォントを示すフォントコードを携帯電話機２に送信し、携帯電話機２において、携帯電話機１から送信された文字コードおよびフォントコードを受信すると、受信した文字コードが示す文字を受信したフォントコードが示すフォントにしたがってＬＣＤ１３に表示させるように構成したので、携帯電話機１を使用するユーザは、例えば「明朝体」のフォントを使用フォントとして設定することにより、通信相手となる携帯電話機２のＬＣＤ１３に文字を  「明朝体」のフォントにしたがって表示させることができるなど、興趣の向上を図ることができる。
【００４２】
また、携帯電話機１において、入力した電子メールの文字を当該使用フォントとして設定したフォントにしたがってＬＣＤ１２に表示させるように構成したので、携帯電話機１を使用するユーザは、例えば「明朝体」のフォントを使用フォントとして設定することにより、自己が所有する携帯電話機１のＬＣＤ１２にも文字を「明朝体」のフォントにしたがって表示させることができ、つまり、通信相手となる携帯電話機２のＬＣＤ１３における文字の表示形態を認識することができる。
【００４３】
また、携帯電話機１において、使用フォントとして設定可能な複数のフォントである「ゴシック体」のフォント、「明朝体」のフォントおよび「毛筆体」のフォントの一覧をＬＣＤ１２に表示させるように構成したので、ユーザは、使用フォントとして設定することが可能なフォントを速やかに認識することができる。
【００４４】
（第２の実施の形態）
次に、本発明の第２実施例について、図１０ないし図１４を参照して説明する。尚、上記した第１実施例と同一部分には同一符号を付して説明を省略し、以下、異なる部分について説明する。
上記した第１実施例においては、最初に、複数のフォントのうちからいずれかのフォントを使用フォントとして設定し、次いで、電子メールの文字を入力する場合を示したものであるが、この第２実施例においては、最初に電子メールの文字を入力し、次いで、複数のフォントのうちからいずれかのフォントを使用フォントとして設定する場合を示している。
【００４５】
この場合、上記した第１実施例とは異なって、ＣＰＵ４は、最初に電子メールの文字を入力し、次いで、複数のフォントのうちからいずれかのフォントを使用フォントとして設定することになるので、複数のフォントのうちからいずれかのフォントを使用フォントとして設定する時点では、電子メールの文字を既に入力していることから、入力している文字を文を単位としてフォントを設定するか或いは文字を単位としてフォントを設定するかを選択することが可能となる。
【００４６】
具体的に説明すると、ＣＰＵ４は、図１０（ａ）に示すように、例えば「お元気ですか」の文字列を入力し、入力した文字列を例えば「明朝体」のフォントにしたがってＬＣＤ１２に表示させている状態において、フォントが設定されるキーが操作されたことを検出すると、図１０（ｂ）に示すように、フォントを設定する単位を選択する画面をＬＣＤ１２に表示させる。
【００４７】
さて、ここで、ＣＰＵ４は、フォントを設定する単位として「文単位」が選択されて確定されるキーが操作されたことを検出すると、フォントを設定する単位として文単位を設定し、図１１（ａ）に示すように、フォントの一覧をＬＣＤ１２に表示させる。そして、ＣＰＵ４は、使用フォントとして例えば「ゴシック体」のフォントが選択されて確定されるキーが操作されたことを検出すると、図１１（ｂ）に示すように、「お元気ですか」の文を構成する全ての文字を「明朝体」のフォントから「ゴシック体」のフォントに切替えてＬＣＤ１２に表示させる。
【００４８】
これに対して、ＣＰＵ４は、フォントを設定する単位として「文字単位」が選択されて確定されるキーが操作されたことを検出すると、フォントを設定する単位として文字単位を設定し、図１２（ａ）に示すように、フォントの一覧と共に当該フォントの各々の表示形態をＬＣＤ１２に表示させる。そして、ＣＰＵ４は、使用フォントとして例えば「ゴシック体」のフォントが選択されて確定されるキーが操作されたことを検出すると、図１２（ｂ）に示すように、「お元気ですか」のうちの「お」を「明朝体」のフォントから「ゴシック体」のフォントに切替えてＬＣＤ１２に表示させる。
【００４９】
尚、この場合、ＣＰＵ４は、フォントの一覧と共に当該フォントの各々の表示形態をＬＣＤ１２に表示させることに限らず、図１３（ａ）に示すように、当該フォントの各々の表示形態のみをＬＣＤ１２に表示させることも可能である。
【００５０】
また、ＣＰＵ４は、フォントの一覧や当該フォントの各々の表示形態を表示させることに限らず、所定のキーを操作すると、図１４（ａ）に示すように、例えば「お元気ですか」のうちの「お」を「明朝体」のフォントから「ゴシック体」のフォントに切替えてＬＣＤ１２に表示させ、次いで、所定のキーを操作すると、図１４（ｂ）に示すように、例えば「お元気ですか」のうちの「お」を「ゴシック体」のフォントから「毛筆体」のフォントに切替えてＬＣＤ１２に表示させることも可能である。
【００５１】
そして、ＣＰＵ４は、以上のようにしてフォントが確定されたことを検出すると、文字を示す文字コードと共に当該確定されたフォントを示すフォントコードを通信相手に送信させる。
【００５２】
以上に説明したように第２実施例によれば、上記した第１実施例と同様の作用効果を得ることができる。
そして、特に、この場合は、携帯電話機１において、入力した文字をその時点で使用フォントとして設定しているフォントにしたがってＬＣＤ１２に表示させることに加えて、新たに使用フォントとして設定可能な複数のフォントの一覧や当該入力した文字の当該新たに使用フォントとして設定可能な複数のフォントの各々にしたがった表示形態をもＬＣＤ１２に表示させるように構成したので、携帯電話機１を使用するユーザは、新たに使用フォントとして設定することが可能なフォントおよび当該フォントにしたがった表示形態を速やかに認識することができる。
【００５３】
また、携帯電話機１において、入力した文字を文を単位として複数のフォントのうちからいずれかのフォントを使用フォントとして設定するか或いは文字を単位として複数のフォントのうちからいずれかのフォントを使用フォントとして設定するかを選択するように構成したので、携帯電話機１を使用するユーザは、  「文単位」を選択することにより、入力した文字を文を単位としてフォントを設定することができ、また、「文字単位」を選択することにより、入力した文字を文字を単位としてフォントを設定することができる。
【００５４】
（その他の実施の形態）
本発明は、上記した実施例にのみ限定されるものでなく、次のように変形または拡張することができる。
携帯電話機は、簡易型の携帯電話機（ＰＨＳ：Personal Handyphone System）であっても良い。
フォントは、「ゴシック体」のフォント、「明朝体」のフォントおよび「毛筆体」のフォントに限らず、他のフォントであっても良い。
【図面の簡単な説明】
【図１】本発明の第１実施例を概略的に示す図
【図２】携帯電話機および通信網を概略的に示す図
【図３】電気的な構成を示す機能ブロック図
【図４】送信側における制御内容を示すフローチャート
【図５】ＬＣＤにおける表示を示す図
【図６】作用を示す図
【図７】受信側における制御内容を示すフローチャート
【図８】ＬＣＤにおける表示を示す図（ａ），（ｂ）
【図９】ＬＣＤにおける表示を示す図
【図１０】本発明の第２実施例のＬＣＤにおける表示を示す図（ａ），（ｂ）
【図１１】図１０相当図
【図１２】図１０相当図
【図１３】図１０相当図
【図１４】図１０相当図
【符号の説明】
図面中、１，２は携帯電話機、４，５はＣＰＵ（制御手段）、６，７は無線通信部（通信手段）、１０，１１はキー操作部（操作手段）、１２，１３はＬＣＤ（表示手段）である。
【図１】
0004325057.tif 000002
【図２】
0004325057.tif 000003
【図３】
0004325057.tif 000004
【図４】
0004325057.tif 000005
【図５】
0004325057.tif 000006
【図６】
0004325057.tif 000007
【図７】
0004325057.tif 000008
【図８】
0004325057.tif 000009
【図９】
0004325057.tif 000010
【図１０】
0004325057.tif 000011
【図１１】
0004325057.tif 000012
【図１２】
0004325057.tif 000013
【図１３】
0004325057.tif 000014
【図１４】
0004325057.tif 000015